(57)【要約】【課題】狭いスペースから装置全体を取り出すことなく良好な作業性で原稿をセットする。【解決手段】複合機１のスキャナ部２は、原稿に記録された画像を読み取るＣＩＳユニット４０と、原稿がセットされる原稿セット面８０、及び、この原稿セット面８０にセットされた原稿の前端部及び後端部をガイドする第１及び第２サイドガイド２４Ａ，２４Ｂを備えた給紙トレイ２２と、この給紙トレイ２２にセットされた原稿をＣＩＳユニット４０へ搬送する搬送ローラ３５等と、この搬送ローラ３５等により搬送され上記ＣＩＳユニット４０によって画像が読み取られた原稿が排出される第１及び第２庇部８２Ａ，８２Ｂとを有する。そして、給紙トレイ２２は、前方から原稿を受け入れるための受け入れ空間８６を形成するスライド部８３及び凹部８４を備える。【選択図】図５
2012074832.tif 000002
【特許請求の範囲】
【請求項１】
原稿に記録された画像を読み取る画像読取手段と、
前記原稿がセットされる原稿セット面、及び、前記原稿セット面にセットされた前記原稿の幅方向の両端部をガイドするガイド手段、を備えた給紙トレイと、
前記給紙トレイにセットされた前記原稿を前記画像読取手段へ搬送する搬送手段と、
前記搬送手段により搬送され前記画像読取手段によって前記画像が読み取られた原稿が排出される排紙トレイと、
を有する画像読取装置であって、
前記給紙トレイは、
前記搬送手段による搬送方向と交差する交差方向から前記原稿を受け入れるための、受け入れ空間を形成する空間形成手段を備える
ことを特徴とする画像読取装置。
【請求項２】
請求項１記載の画像読み取り装置において、
前記ガイド手段は、
前記原稿セット面にセットされた前記原稿の前記幅方向一端部及び他端部にそれぞれ接触可能な第１サイドガイド及び第２サイドガイドを備え、
前記空間形成手段は、
前記第１サイドガイドを、前記原稿の前記一端部をガイド可能なガイド位置、及び、前記ガイド位置から前記交差方向に沿って前記一端部より離反した退避位置、の相互間でスライド変位させる第１変位機構である
ことを特徴とする画像読取装置。
【請求項３】
請求項２記載の画像読取装置において、
前記第１サイドガイドは、前記原稿セット面に対して立設され、前記原稿の前記幅方向一端部に接触可能な第１壁面部を備えており、
前記第２サイドガイドは、前記原稿セット面に対して立設され、前記原稿の前記幅方向他端部に接触可能な第２壁面部を備えており、
前記第１変位機構は、
前記第１サイドガイドの前記第１壁面部を、前記原稿セット面に沿った前記交差方向へスライド移動させる機構である
ことを特徴とする画像読取装置。
【請求項４】
請求項３記載の画像読取装置において、
前記第１変位機構は、
前記第１サイドガイドにおいて、前記第１壁面部に連設されるとともに前記原稿セット面に沿って延設される、略板形状のスライド部と、
前記原稿セット面の下部に設けられ、前記スライド部を摺動可能に収納する凹部と、
を備える
ことを特徴とする画像読取装置。
【請求項５】
請求項１記載の画像読取装置において、
前記ガイド手段は、
前記原稿セット面にセットされた前記原稿の前記幅方向一端部及び他端部にそれぞれ接触可能な第１サイドガイド及び第２サイドガイドを備え、
前記空間形成手段は、
前記第１サイドガイドを、前記原稿の前記一端部をガイド可能なガイド位置、及び、前記ガイド位置から前記交差方向に沿って前記一端部より離反した退避位置、の相互間で所定の軸心を中心に回動させる第２変位機構である
ことを特徴とする画像読取装置。
【請求項６】
請求項５記載の画像読取装置において、
前記第１サイドガイドは、前記原稿セット面に対して立設され、前記原稿の前記幅方向一端部に接触可能な第１壁面部を備えており、
前記第２サイドガイドは、前記原稿セット面に対して立設され、前記原稿の前記幅方向他端部に接触可能な第２壁面部を備えており、
前記第２変位機構は、
前記第１サイドガイドの前記第１壁面部を、前記原稿セット面から離れる方向に、前記軸心を中心に回動させる機構である
ことを特徴とする画像読取装置。
【請求項７】
請求項６記載の画像読取装置において、
前記第２変位機構は、
前記第１壁面部のうち前記搬送手段による前記搬送方向に沿った両端部に設けられた２つの回転軸部と、
前記原稿セット面の近傍に設けられ、前記２つの回転軸部を回転可能に支持する軸支持部と、
を備えることを特徴とする画像読取装置。
【請求項８】
請求項７記載の画像読取装置において、
前記第２変位機構は、
前記退避位置において、前記第１壁面部の前記回動の径方向先端部が下方へ下がることで前記第１壁面部の面方向が水平方向よりも傾斜した状態で、当該第１壁面部を受け止める傾斜支持部を備える
ことを特徴とする画像読取装置。
【請求項９】
請求項１記載の画像読取装置において、
前記ガイド手段は、
前記原稿セット面にセットされた前記原稿の前記幅方向一端部及び他端部にそれぞれ接触可能な第１サイドガイド及び第２サイドガイドを備え、
前記第１サイドガイドは、
前記原稿セット面に対して立設され、前記原稿の前記幅方向一端部に接触可能な第１壁面部と、
前記第１壁面部の頂部から前記第２サイドガイド側へ向かって前記原稿セット面と略平行に延設される第１庇部と
を備えており、
前記第２サイドガイドは、
前記原稿セット面に対して立設され、前記原稿の前記幅方向他端部に接触可能な第２壁面部と、
前記第２壁面部の頂部から前記第１サイドガイド側へ向かって前記原稿セット面と略平行に延設される第２庇部と
を備えており、
前記空間形成手段は、
前記第２庇部の前記延設方向寸法に比べて前記第１庇部の前記延設方向寸法が短くなるように、前記第１庇部の少なくとも一部が欠損した欠損部である
ことを特徴とする画像読取装置。
【請求項１０】
請求項９記載の画像読取装置において、
前記空間形成手段は、
前記第１庇部の全部が欠損した前記欠損部である
ことを特徴とする画像読取装置。
【請求項１１】
請求項１乃至請求項１０のいずれか１項記載の画像読取装置において、
前記原稿セット面、若しくは、前記原稿セット面に対し前記搬送手段の搬送方向と反対側に連続する面、の前記反対側の端部を、下方に傾斜する傾斜面とした
ことを特徴とする画像読取装置。
【発明の詳細な説明】
【技術分野】
【０００１】
本発明は、原稿に記録された画像の読み取りを行う画像読取装置に関する。
【背景技術】
【０００２】
原稿に記録された画像の読み取りを行う画像読取装置として、例えば特許文献１に記載の従来技術がある。この従来技術の複合機は、画像読取装置としてのスキャナ部を備えている。このスキャナ部の原稿押さえカバーには、Ａｕｔｏ  Ｄｏｃｕｍｅｎｔｏ  Ｆｅｅｄｅｒ（ＡＤＦ）が備えられていると共に、給紙トレイ及び排紙トレイが設けられている。ＡＤＦの内部に形成された所定の搬送路には、搬送手段としての、吸入ローラ、吸入ニップ片、分離ローラ、分離ニップ片、搬送ローラ、及びピンチローラが配設されている。
【先行技術文献】
【特許文献】
【０００３】
【特許文献１】特開２００６−３１１１７５号公報
【発明の概要】
【発明が解決しようとする課題】
【０００４】
例えば、ユーザによっては、上記従来技術のように画像読取装置を搭載した装置、又は、画像読取装置自体を、原稿の搬送方向、具体的には、ＡＤＦにより給紙トレイから原稿が引き込まれる方向に沿った寸法が小さい狭いスペースに置いて使用する場合があり得る。このような場合、上記搬送方向に沿って原稿を給紙トレイへセットすることは困難であり、ユーザが当該狭いスペースから装置全体を取り出して原稿をセットする必要があるため、良好な作業性を得ることは困難であった。上記従来技術においても、上記のような狭いスペースに装置が置かれている状況において、当該狭いスペースから装置全体を取り出すことなく良好な作業性で原稿をセットすることについては、特に考慮されていなかった。
【０００５】
本発明の目的は、狭いスペースから装置全体を取り出すことなく良好な作業性で原稿をセットすることができる画像読取装置を提供することにある。
【課題を解決するための手段】
【０００６】
上記目的を達成するために、第１の発明は、原稿に記録された画像を読み取る画像読取手段と、前記原稿がセットされる原稿セット面、及び、前記原稿セット面にセットされた前記原稿の幅方向の両端部をガイドするガイド手段、を備えた給紙トレイと、前記給紙トレイにセットされた前記原稿を前記画像読取手段へ搬送する搬送手段と、前記搬送手段により搬送され前記画像読取手段によって前記画像が読み取られた原稿が排出される排紙トレイと、を有する画像読取装置であって、前記給紙トレイは、前記搬送手段による搬送方向と交差する交差方向から前記原稿を受け入れるための、受け入れ空間を形成する空間形成手段を備えることを特徴とする。
【０００７】
本願第１発明においては、原稿が、給紙トレイのガイド手段にガイドされつつ原稿セット面にセットされると、搬送手段によって搬送される。搬送された原稿は、画像読取手段によって画像が読み取られた後、排紙トレイに排紙される。
【０００８】
ここで、ユーザによっては、例えば、上記搬送方向に沿った寸法が小さい狭いスペースに装置を置いて使用する場合があり得る。この場合、上記搬送方向に沿って原稿を原稿セット面へセットすることは難しい。そこで、本願第１発明では、給紙トレイに空間形成手段が設けられており、この空間形成手段は、上記搬送方向と交差する方向から原稿を受け入れるための受け入れ空間を形成する。これにより、この受け入れ空間を通じて、ユーザは、上記搬送方向と交差する方向から原稿を給紙トレイに容易にセットすることができる。したがって、上記のような狭いスペースに装置が置かれている状況であっても、当該狭いスペースから装置全体を取り出すことなく良好な作業性で原稿をセットすることができる。
【０００９】
第２の発明は、上記第１発明において、前記ガイド手段は、前記原稿セット面にセットされた前記原稿の前記幅方向一端部及び他端部にそれぞれ接触可能な第１サイドガイド及び第２サイドガイドを備え、前記空間形成手段は、前記第１サイドガイドを、前記原稿の前記一端部をガイド可能なガイド位置、及び、前記ガイド位置から前記交差方向に沿って前記一端部より離反した退避位置、の相互間でスライド変位させる第１変位機構であることを特徴とする。
【００１０】
本願第２発明においては、第１変位機構が、第１サイドガイドを、ガイド位置と退避位置との間でスライド変位させることができる。これにより、第１サイドガイドを、ガイド位置から上記交差方向に沿って離反するようにスライドさせて上記退避位置にすることにより、当該退避位置で上記受け入れ空間を形成することができる。したがって、ユーザは、上記交差方向から原稿を給紙トレイに容易にセットすることができる。
【００１１】
第３の発明は、上記第２発明において、前記第１サイドガイドは、前記原稿セット面に対して立設され、前記原稿の前記幅方向一端部に接触可能な第１壁面部を備えており、前記第２サイドガイドは、前記原稿セット面に対して立設され、前記原稿の前記幅方向他端部に接触可能な第２壁面部を備えており、前記第１変位機構は、前記第１サイドガイドの前記第１壁面部を、前記原稿セット面に沿った前記交差方向へスライド移動させる機構であることを特徴とする。
【００１２】
これにより、第１サイドガイドの第１壁面部及び第２サイドガイドの第２壁面部により原稿の幅方向両端部をガイドする通常の状態から、第１壁面部をスライド移動させて上記受け入れ空間を形成する状態へと、簡単に移行することができる。
【００１３】
第４の発明は、上記第３発明において、前記第１変位機構は、前記第１サイドガイドにおいて、前記第１壁面部に連設されるとともに前記原稿セット面に沿って延設される、略板形状のスライド部と、前記原稿セット面の下部に設けられ、前記スライド部を摺動可能に収納する凹部と、を備えることを特徴とする。
【００１４】
これにより、凹部に略板形状のスライド部を収納して摺動させる、という簡単な構成により、第１サイドガイドのガイド位置と退避位置との間の、円滑な変位を実現することができる。
【００１５】
第５の発明は、上記第１発明において、前記ガイド手段は、前記原稿セット面にセットされた前記原稿の前記幅方向一端部及び他端部にそれぞれ接触可能な第１サイドガイド及び第２サイドガイドを備え、前記空間形成手段は、前記第１サイドガイドを、前記原稿の前記一端部をガイド可能なガイド位置、及び、前記ガイド位置から前記交差方向に沿って前記一端部より離反した退避位置、の相互間で所定の軸心を中心に回動させる第２変位機構であることを特徴とする。
【００１６】
本願第５発明においては、第２変位機構が、第１サイドガイドを、ガイド位置と退避位置との間で回動させることができる。これにより、第１サイドガイドを、ガイド位置から上記交差方向に沿って離反するように回動させて上記退避位置にすることにより、当該退避位置で上記受け入れ空間を形成することができる。したがって、ユーザは、上記交差方向から原稿を給紙トレイに容易にセットすることができる。
【００１７】
第６の発明は、上記第５発明において、前記第１サイドガイドは、前記原稿セット面に対して立設され、前記原稿の前記幅方向一端部に接触可能な第１壁面部を備えており、前記第２サイドガイドは、前記原稿セット面に対して立設され、前記原稿の前記幅方向他端部に接触可能な第２壁面部を備えており、前記第２変位機構は、前記第１サイドガイドの前記第１壁面部を、前記原稿セット面から離れる方向に、前記軸心を中心に回動させる機構であることを特徴とする。
【００１８】
これにより、第１サイドガイドの第１壁面部及び第２サイドガイドの第２壁面部により原稿の幅方向両端部をガイドする通常の状態から、第１壁面部を回動させて上記受け入れ空間を形成する状態へと、簡単に移行することができる。
【００１９】
第７の発明は、上記第６発明において、前記第２変位機構は、前記第１壁面部のうち前記搬送手段による前記搬送方向に沿った両端部に設けられた２つの回転軸部と、前記原稿セット面の近傍に設けられ、前記２つの回転軸部を回転可能に支持する軸支持部と、を備えることを特徴とする。
【００２０】
これにより、２つの回転軸部を軸支して回動させる、という簡単な構成により、第１サイドガイドのガイド位置と退避位置との間の、円滑な回動を実現することができる。
【００２１】
第８の発明は、上記第７発明において、前記第２変位機構は、前記退避位置において、前記第１壁面部の前記回動の径方向先端部が下方へ下がることで前記第１壁面部の面方向が水平方向よりも傾斜した状態で、当該第１壁面部を受け止める傾斜支持部を備えることを特徴とする。
【００２２】
これにより、第１壁面部の面方向が原稿セット面とほぼ同じ高さか、それよりも傾斜した状態となるので、ユーザ側へ向かって受け入れ空間を広く開口させることができる。この結果、ユーザがさらに原稿をセットしやすくなる。
【００２３】
第９の発明は、上記第１発明において、前記ガイド手段は、前記原稿セット面にセットされた前記原稿の前記幅方向一端部及び他端部にそれぞれ接触可能な第１サイドガイド及び第２サイドガイドを備え、前記第１サイドガイドは、前記原稿セット面に対して立設され、前記原稿の前記幅方向一端部に接触可能な第１壁面部と、前記第１壁面部の頂部から前記第２サイドガイド側へ向かって前記原稿セット面と略平行に延設される第１庇部とを備えており、前記第２サイドガイドは、前記原稿セット面に対して立設され、前記原稿の前記幅方向他端部に接触可能な第２壁面部と、前記第２壁面部の頂部から前記第１サイドガイド側へ向かって前記原稿セット面と略平行に延設される第２庇部とを備えており、前記空間形成手段は、前記第２庇部の前記延設方向寸法に比べて前記第１庇部の前記延設方向寸法が短くなるように、前記第１庇部の少なくとも一部が欠損した欠損部であることを特徴とする。
【００２４】
本願第９発明においては、欠損部において、第１サイドガイドの第１庇部の少なくとも一部が欠損している。これにより、その欠損した部分において、ユーザ側へ開口した上記受け入れ空間を形成することができる。したがって、ユーザは、上記交差方向から原稿を給紙トレイに容易にセットすることができる。
【００２５】
第１０の発明は、上記第９発明において、前記空間形成手段は、前記第１庇部の全部が欠損した前記欠損部であることを特徴とする。
【００２６】
本願第１０発明においては、第１サイドガイドの第１庇部の全部が欠損していることにより、より大きな受け入れ空間を形成することができる。この結果、ユーザがさらに原稿をセットしやすくなる。
【００２７】
第１１の発明は、上記第１乃至第１０発明のいずれかにおいて、前記原稿セット面、若しくは、前記原稿セット面に対し前記搬送手段の搬送方向と反対側に連続する面、の前記反対側の端部を、下方に傾斜する傾斜面としたことを特徴とする。
【００２８】
原稿セット面（又は原稿セット面に対し搬送方向と反対側に連続する面）を傾斜面とすることにより、上記交差する方向から原稿をセットするとき、ユーザの手が入り込むスペースを確保することができる。この結果、原稿セット作業をさらに行いやすくすることができる。
【発明の効果】
【００２９】
本発明によれば、狭いスペースから装置全体を取り出すことなく良好な作業性で原稿をセットすることができる。
【図面の簡単な説明】
【００３０】
【図１】本発明の一実施の形態に係る画像読取装置を備えた複合機の外観概略構成を表す斜視図である。
【図２】複合機の外観概略構成を表す上面図である。
【図３】図２中のＩＩＩ−ＩＩＩ断面による横断面図を９０°回転させて示す断面図である。
【図４】図２中のＩＶ−ＩＶ断面による縦断面図である。
【図５】第１サイドガイドを退避位置に変位させた状態の、複合機の外観概略構成を表す斜視図である。
【図６】第１サイドガイドを退避位置に変位させた状態の、複合機の外観概略構成を表す上面図である。
【図７】図６中のＶＩＩ−ＶＩＩ断面による横断面図を９０°回転させて示す断面図である。
【図８】第１サイドガイドをガイド位置と退避位置との間で回動させる変形例において、複合機の外観概略構成を表す斜視図である。
【図９】複合機の外観概略構成を表す上面図である。
【図１０】図９中のＸ−Ｘ断面による横断面図を９０°回転させて示す断面図である。
【図１１】図９中のＸＩ−ＸＩ断面による横断面図を９０°回転させて示す断面図である。
【図１２】第１サイドガイドを退避位置に変位させた状態の、複合機の外観概略構成を表す斜視図である。
【図１３】第１サイドガイドを退避位置に変位させた状態の、複合機の外観概略構成を表す上面図である。
【図１４】図１３中のＸＩＶ−ＸＩＶ断面による横断面図を９０°回転させて示す断面図である。
【図１５】図１３中のＸＶ−ＸＶ断面による横断面図を９０°回転させて示す断面図である。
【図１６】第１サイドガイドの第１庇部を欠損させておく変形例において、複合機の外観概略構成を表す斜視図である。
【図１７】複合機の外観概略構成を表す上面図である。
【図１８】図１７中のＸＶＩＩＩ−ＸＶＩＩＩ断面による横断面図を９０°回転させて示す断面図である。
【発明を実施するための形態】
【００３１】
以下、本発明の一実施の形態を図面を参照しつつ説明する。なお、以下の各図内に「前」「後」「左」「右」「上」「下」の注記がある場合は、明細書中内の説明における、前方、後方、左方、右方、上方、下方とは、その注記された方向を指す。
【００３２】
図１乃至図４に示すように、本実施形態に係る画像読取装置を備えた複合機１は、原稿に記録された画像を読み取るスキャナ機能、記録用紙に画像を記録するプリンタ機能、画像データを電送するファクシミリ機能の３つの機能を一体的に備えた多機能装置（Ｍｕｌｔｉ  Ｆｕｎｃｔｉｏｎ  Ｄｅｖｉｃｅ：ＭＤＦ）である。この複合機１は、図１に示すように、概略的に幅の広い薄型の略直方体形状を備えており、上部に画像読取装置としてのスキャナ部２を、下部にプリンタ部３を一体的に備えている。
【００３３】
スキャナ部２は、複合機１の筐体として構成された原稿載置台４と、この原稿載置台４に対して蝶番（図示せず）を介し開閉自在に取り付けられた原稿押さえカバー６とを有している。
【００３４】
原稿載置台４には、図１及び図２に示すように、その前方側に、Ｌｉｑｕｉｄ  Ｃｒｙｓｔａｋ  Ｄｉｓｐｌａｙ（ＬＣＤ）８５や各種操作ボタン（図示せず）から構成される操作パネル７が設けられている。複合機１は、この操作パネル７からの指示によって動作する。また、複合機１は、例えば有線又は無線のＬｏｃａｌ  Ａｒｅａ  Ｎｅｔｗｏｒｋ（ＬＡＮ）等を介し接続されたコンピュータにインストールされたプリンタドライバやスキャナドライバ等を介し出力される指示によっても動作する。
【００３５】
また、図４に示すように、原稿載置台４の、上記原稿押さえカバー６と対向する天面には、スキャナ部２をＦｌａｔｂｅｄ  Ｓｃａｎｎｅｒ（ＦＢＳ）として使用する場合に原稿がセットされる、透明なガラス板からなるプラテンガラス２０が配設されている。なお、原稿載置台４には、その上面中央に、上記プラテンガラス２０を露出するための開口（図示せず）が形成されている。したがって、プラテンガラス２０のうち上記開口から露出された領域が、後述の画像読取ユニット２１による原稿の読み取り領域となる。スキャナ部２においては、原稿押さえカバー６が開かれることにより、プラテンガラス２０が原稿載置台４の上面として露出され、原稿押さえカバー６が閉じられることにより、プラテンガラス２０を含めて原稿載置台４の上面全体が覆われる。また、原稿載置台４の内部には、上記プラテンガラス２０と対向するようにして、原稿に記録された画像を読み取る画像読取手段としてのＣｏｎｔａｃｔ  Ｉｍａｇｅ  Ｓｅｎｓｏｒ（ＣＩＳ）ユニット４０を備えた画像読取ユニット２１が配設されている。なお、この画像読取ユニット２１の詳細については、後述する。
【００３６】
一方、図４に示すように、原稿押さえカバー６の下面には、上記プラテンガラス２０上にセットされた原稿を押えるために、スポンジ及び白板等からなる押さえ部材１９が配設されている。また、図１及び図２に示すように、原稿押さえカバー６は、原稿がセットされる給紙トレイ２２と、この給紙トレイ２２にセットされた原稿を後述の搬送ローラ３５等により後述の第１及び第２庇部８２Ａ，８２Ｂの上面へ排出するＡｕｔｏ  Ｄｏｃｕｍｅｎｔｏ  Ｆｅｅｄｅｒ（ＡＤＦ）５と有している。
【００３７】
ＡＤＦ５は、上記原稿押さえカバー６と一体的に形成されたＡＤＦ本体２７と、このＡＤＦ本体２７に開閉自在に設けられたＡＤＦカバー２８とを備えている。また、ＡＤＦカバー２８の内側には、ガイド板３０が配設されている。ＡＤＦ５による原稿の搬送過程においては、給紙トレイ２２にセットされた原稿が上記プラテンガラス２０上を通過し、このプラテンガラス２０の下方において上記画像読取ユニット２１のＣＩＳユニット４０が、当該原稿に記録された画像を読み取るようになっている。なお、このＡＤＦ５の詳細については、後述する。
【００３８】
給紙トレイ２２は、上記原稿押さえカバー６の上面と一体的に形成され、上記ＡＤＦ５を使用する場合に原稿がセットされる、原稿セット面８０と、この原稿セット面８０の前側及び後側に隔てるように、対向して配設された第１サイドガイド２４Ａ及び第２サイドガイド２４Ｂとを備えている。
【００３９】
原稿セット面８０には、上記ＡＤＦ５を使用して搬送及び画像の読み取りを行う原稿が、その左端部を当該原稿セット面８０とガイド板３０との間に挿入するようにしてセットされる。この原稿セット面８０の右側の端部は、図１に示すように、下方に傾斜する傾斜面となっている。また、原稿セット面８０の前方下部には、図３に示すように、後述の第１サイドガイド２４Ａのスライド部８３を摺動可能に収納する凹部８４が設けられている。
【００４０】
第１サイドガイド２４Ａは、図３に示すように、第１壁面部８１Ａ、第１庇部８２Ａ、及び、略板形状のスライド部８３を備えている。第１壁面部８１Ａは、上記原稿セット面８０に対して立設されており、原稿セット面８０にセットされた原稿の前端部（幅方向一端部に相当）に接触可能に構成されている。第１庇部８２Ａは、第１壁面部８１Ａの頂部から後述の第２サイドガイド２４Ｂの第２壁面部８１Ｂ側へ向かって、原稿セット面８０と略平行に延設されている。スライド部８３は、第１壁面部８１Ａに連設されるとともに、原稿セット面８０に沿って延設されており、原稿セット面８０に設けられた上記凹部８４に摺動可能に収納されている。
【００４１】
一方、第２サイドガイド２４Ｂは、第２壁面部８１Ｂ及び第２庇部８２Ｂを備えている。第２壁面部８１Ｂは、上記原稿セット面８０に対して立設されており、原稿セット面８０にセットされた原稿の後端部（幅方向他端部に相当）に接触可能に構成されている。第２庇部８２Ｂは、第２壁面部８１Ｂの頂部から上記第１サイドガイド２４Ａの第１壁面部８１Ａ側へ向かって、原稿セット面８０と略平行に延設されている。
【００４２】
上記のように構成された第１及び第２サイドガイド２４Ａ，２４Ｂは、互いに協働して、原稿セット面８０にセットされた原稿の幅方向の両端部すなわち前端部及び後端部をガイドする。すなわち、これら第１及び第２サイドガイド２４Ａ，２４Ｂは、各請求項記載のガイド手段に相当する。また、これら第１及び第２サイドガイド２４Ａ，２４Ｂの第１及び第２庇部８２Ａ，８２Ｂの上面には、上記ＡＤＦ５の内部に配設された後述の搬送ローラ３５等により搬送され上記画像読取ユニット２１のＣＩＳユニット４０によって画像が読み取られた原稿が排出される。すなわち、これら第１及び第２庇部８２Ａ，８２Ｂは、各請求項記載の排紙トレイに相当する。なお、上記排出された原稿は、その前端部及び後端部が第１及び第２庇部８２Ａ，８２Ｂの上面に担持されることによって、原稿セット面８０上の原稿を分離した状態で保持されるようになっている。
【００４３】
ここで、本実施形態においては、上記のように凹部８４に収納されたスライド部８３を、後述の搬送ローラ３５等による原稿の搬送方向（具体的には、後述の給紙方向である左方向）と交差する方向、この例では前後方向に摺動させることにより、当該スライド部８３に連設されている第１壁面部８１Ａを、原稿セット面８０に沿った前後方向へスライド移動させることができるようになっている。すなわち、スライド部８３及び凹部８４は、第１壁面部８１Ａを、原稿セット面８０に沿った前後方向へスライド移動させる機構である。そして、当該機構を利用して、第１壁面部８１Ａを、原稿セット面８０に沿った前後方向へスライド移動させることにより、第１サイドガイド２４Ａを、原稿の前端部をガイド可能なガイド位置、及び、このガイド位置から前後方向に沿って上記前端部より離反した退避位置、の相互間でスライド変位させることができる。
【００４４】
なお、図１乃至図３に示す複合機１のスキャナ部２が備える第１サイドガイド２４Ａの位置は、上記ガイド位置に対応している。すなわち、第１サイドガイド２４Ａが上記ガイド位置にある状態では、スライド部８３の略すべての部分が、凹部８４に収納されている。そして、このようにガイド位置にある第１サイドガイド２４Ａの第１壁面部８１Ａを前方へ（言い換えればスライド部８３を凹部８４から引き出す方向へ）スライド移動させることにより、第１サイドガイド２４Ａを上記退避位置（後述の図５乃至図７に示す第１サイドガイド２４Ａの位置）にスライド変位させることができる。
【００４５】
一方、図５乃至図７に示す複合機１のスキャナ部２が備える第１サイドガイド２４Ａの位置は、上記退避位置に対応している。すなわち、図５乃至図７に示すように、第１サイドガイド２４Ａが上記退避位置にある状態では、スライド部８３の前側の一部分が、凹部８４から引き出されている。また、このように第１サイドガイド２４Ａが上記退避位置にある状態では、図６に示すように、前後方向（この例では前方）から原稿セット面８０へ原稿を受け入れるための受け入れ空間８６が形成されている。これは、第１サイドガイド２４Ａをガイド位置から退避位置に変位させることにより、当該退避位置で上記受け入れ空間８６が形成されるためである。すなわち、スライド部８３及び凹部８４は、各請求項記載の、第１変位機構に相当すると共に、受け入れ空間を形成する空間形成手段にも相当する。なお、上記のように退避位置にある第１サイドガイド２４Ａの第１壁面部８１Ａを後方へ（言い換えればスライド部８３を凹部８４に収納する方向へ）スライド移動させることにより、第１サイドガイド２４Ａを上記ガイド位置（図１乃至図３に示す第１サイドガイド２４Ａの位置）にスライド変位させることができる。
【００４６】
図１乃至図４に戻り、上記ＡＤＦ５及び画像読取ユニット２１の詳細構成について説明する。図４に示すように、ＡＤＦ５の内部には、上記給紙トレイ２２の原稿セット面８０と上記第１及び第２庇部２４Ａ，２４Ｂとを連結するようにして、搬送路２６が上記ＡＤＦ本体２７及びＡＤＦカバー２８によって横向き略Ｕ字形状に形成されている。具体的には、搬送路２６は、吸入シュート部２９から横向き略Ｕ字形状の湾曲部３７を経て、後述の排紙シュート部３８へ向かうように、横向き略Ｕ字形状に形成されている。
【００４７】
吸入シュート部２９は、原稿セット面８０が左方に延長されるようにして、ＡＤＦ本体２７に形成された水平面９０と、上記ガイド板３０とによって、上下方向に所定幅を備えた通路として形成されている。また、湾曲部３７及び排紙シュート部３８についても、上記ＡＤＦ本体２７、ＡＤＦカバー２８、及びガイド板３０等によって、所定幅を備えた通路として連続的に形成されている。
【００４８】
また、搬送路２６には、上記原稿セット面８０にセットされた原稿を上記画像読取ユニット２１のＣＩＳユニット４０へ搬送するために、吸入ローラ３１と、この吸入ローラ３１に圧接する吸入ニップ片３２と、分離ローラ３３と、この分離ローラ３３に圧接する分離ニップ片３４と、搬送ローラ３５と、この搬送ローラ３５に圧接する３つのピンチローラ３６とが配設されている。すなわち、これら吸入ローラ３１、吸入ニップ片３２、分離ローラ３３、分離ニップ片３４、搬送ローラ３５、及び３つのピンチローラ３６（以下適宜、これらを総称して「搬送ローラ３５等」と称する）が、各請求項記載の搬送手段に相当する。なお、搬送手段に相当する上記各ローラや各ニップ片の構成は一例であり、ローラの数や配置を変更したり、各ニップ片に換えてピンチローラを用いたりしてもよい。
【００４９】
吸入ローラ３１は、上記吸入シュート部２９の略中央に、そのローラ面の一部を上記水平面９０の上面から露出するようにして回転可能に設けられている。分離ローラ３３は、上記吸入ローラ３１から左方向へ隔てた位置に、そのローラ面の一部を上記水平面９０の上面から露出するようにして回転可能に設けられている。これら吸入ローラ３１及び分離ローラ３３は、搬送モータ（図示せず）からの駆動力が伝達されることによって、それぞれ回転駆動される。また、これら吸入ローラ３１及び分離ローラ３３は、同径となっており、同じ周速度で回転される。また、吸入ローラ３１への駆動伝達においては１周クラッチが介設されており、吸入ローラ３１は、１周分の空転が可能となっている。
【００５０】
吸入ニップ片３２は、上記ガイド板３０の、上記吸入ローラ３１と対向する位置に、当該吸入ローラ３１と接離する方向へ揺動可能に設けられている。また、この吸入ニップ片３２は、図示しないバネ部材により下方へ弾性付勢されており、原稿をニップしない状態のときに、吸入ローラ３１のローラ面に圧接されている。分離ニップ片３４は、上記ガイド板３０の、上記分離ローラ３３と対向する位置に、当該分離ローラ３３と接離する方向へ揺動可能に設けられている。また、この分離ニップ片３４は、図示しないバネ部材により下方へ弾性付勢されており、原稿をニップしない状態のときに、分離ローラ３３のローラ面に圧接されている。これら吸入ニップ片３２及び分離ニップ片３４により原稿がニップされることにより、当該原稿が上記吸入ローラ３１及び分離ローラ３３に圧接されて、当該吸入ローラ３１及び分離ローラ３３の回転力が原稿に伝達される。
【００５１】
搬送ローラ３５は、上記湾曲部３７に配設されている。この搬送ローラ３５は、そのローラ面が湾曲部３７の一部をなす程度の外径を備えており、上記吸入ローラ３１及び分離ローラ３３と同様、上記搬送モータからの駆動力が伝達されることによって、回転駆動される。
【００５２】
３つのピンチローラ３６は、上記搬送ローラ３５の周囲にそれぞれ設けられている。各ピンチローラ３６は、それぞれ、その軸がバネ片に弾性付勢されて上記ＡＤＦ本体２７又はＡＤＦカバー２８に回転自在に支持されることによって、搬送ローラ３５のローラ面に圧接されている。そして、搬送ローラ３５が回転した場合に、これに従動して各ピンチローラ３６も回転する。これら各ピンチローラ３６により、原稿が搬送ローラ３５に圧接されることによって、当該搬送ローラ３５の回転力が原稿に伝達される。
【００５３】
以上のように構成された搬送ローラ３５等によって、上記原稿セット面８０にセットされた原稿は、当該搬送ローラ３５等の軸方向である前後方向と交差する方向に搬送される。なお、搬送ローラ３５等によって原稿が搬送される、前後方向と交差する方向は、搬送手段による搬送方向に相当する。すなわち、前後方向は、搬送方向と交差する交差方向の一例に相当する。具体的には、原稿セット面８０にセットされた原稿は、搬送ローラ３５等による搬送方向上流側（原稿セット面８０から湾曲部３７に到るまで）では給紙方向（搬送方向の一例）である左方向に搬送され、搬送ローラ３５等による搬送方向下流側（湾曲部３７から第１及び第２庇部８２Ａ，８２Ｂの上面に到るまで）では排紙方向（搬送方向の一例）である右方向に搬送される。また、搬送ローラ３５等による搬送方向下流側には、排紙シュート部３８が形成されている。排紙シュート部３８は、上記ＡＤＦカバー２８の内面と搬送ローラ３５とで構成された上記搬送路２６の湾曲部３７と連続するようにして、ＡＤＦカバー２８と上記ガイド板３０との間に形成されている。したがって、原稿セット面８０から搬送路２６へ供給された原稿は、吸入シュート部２９、湾曲部３７、排紙シュート部３８を順次経て、上記第１及び第２庇部２４Ａ，２４Ｂの上面へ排出される。
【００５４】
一方、図４に示すように、原稿載置台４の内部には、前述したように、上記プラテンガラス２０と対向するようにして、画像読取ユニット２１が配設されている。すなわち、画像読取ユニット２１は、プラテンガラス２０の原稿設置面の反対側に配設されている。
【００５５】
画像読取ユニット２１は、走査機構（図示せず）と、この走査機構により上記プラテンガラス２０の下方を走査可能なキャリッジ４１と、上記プラテンガラス２０に密接させるように当該キャリッジ４１に搭載された上記ＣＩＳユニット４０とから構成されている。
【００５６】
キャリッジ４１は、ＣＩＳユニット４０をプラテンガラス２０に密着させるように搭載して、原稿載置台４の左右方向に渡って架設されたガイドシャフト（図示せず）上を移動することにより、当該ＣＩＳユニット４０をプラテンガラス２０に沿って走査させる。
【００５７】
ＣＩＳユニット４０は、この例では、光源４２からプラテンガラス２０を通じて原稿に光を照射し、当該原稿からの反射光をレンズ４３により受光素子４４に集光して電気信号に変換する、いわゆる密着型のイメージセンサである。なお、光源４２としては、例えば、レッド、グリーン、及びブルーに色分解された３色の発光ダイオードが用いられる。受光素子４４は、例えばチップ単位で上記搬送ローラ３５等の軸方向である前後方向に一列に並べられており、光源４２及びレンズ４３も同方向に列設されている。
【００５８】
なお、上述したように、原稿セット面８０にセットされた原稿は、搬送ローラ３５等により、まず上記給紙方向である左方向へ搬送される。すなわち、原稿セット面８０の右側は、搬送手段の搬送方向と反対側に相当する。
【００５９】
本実施形態によれば、次のような効果を得ることができる。すなわち、ユーザによっては、搬送ローラ３５等による原稿の搬送方向（具体的には給紙方向）である左方向に沿った寸法が小さい狭いスペースに複合機１を置いて使用する場合があり得る。この場合、複合機１の左右が壁等によって囲まれているため、当該左方向に沿って原稿を原稿セット面８０へセットすることは難しい。そこで本実施形態では、給紙トレイ２２に、左方向と交差する方向（上記の例では前方）から原稿を受け入れるための受け入れ空間８６を形成する手段（上記の例ではスライド部８３及び凹部８４）が設けられている（図６を参照）。これにより、この受け入れ空間８６を通じて、ユーザは、上記左方向と交差する方向（上記の例では前方）から原稿を給紙トレイ２２に容易にセットすることができる。したがって、上記のような狭いスペースに複合機１が置かれている状況であっても、当該狭いスペースから複合機１全体を取り出すことなく良好な作業性で原稿をセットすることができる。
【００６０】
また、本実施形態では特に、スライド部８３及び凹部８４は、第１サイドガイド２４Ａを、上記ガイド位置及び退避位置の相互間でスライド変位させる機構である。これにより、第１サイドガイド２４Ａを、ガイド位置から前後方向に沿って離反するようにスライドさせて上記退避位置にすることにより、当該退避位置で上記受け入れ空間８６を形成することができる。この結果、ユーザは、前方から原稿を給紙トレイ２２に容易にセットすることができる。
【００６１】
また、本実施形態では特に、スライド部８３及び凹部８４は、第１サイドガイド２４Ａの第１壁面部８１Ａを、原稿セット面８０に沿った前後方向へスライド移動させる機構である。これにより、第１及び第２サイドガイド２４Ａ，２４Ｂの第１及び第２壁面部８１Ａ，８１Ｂにより原稿の前端部及び後端部をガイドする通常の状態から、第１壁面部８１Ａをスライド移動させて上記受け入れ空間８６を形成する状態へと、簡単に移行することができる。また、凹部８４にスライド部８３を収納して摺動させる、という簡単な構成により、第１サイドガイド２４Ａのガイド位置と退避位置との間の、円滑な変位を実現することができる。
【００６２】
また、本実施形態では特に、原稿セット面８０の右側の端部を、下方に傾斜する傾斜面としている（図１を参照）。このように原稿セット面８０を傾斜面とすることにより、前方から原稿をセットするとき、ユーザの手が入り込むスペースを確保することができる。この結果、原稿セット作業をさらに行いやすくすることができる。
【００６３】
なお、本発明は、上記実施形態に限られるものではなく、その趣旨及び技術的思想を逸脱しない範囲内で種々の変形が可能である。以下、そのような変形例を順次説明する。
【００６４】
（１）第１サイドガイドをガイド位置と退避位置との間で回動させる場合
第１サイドガイドを、ガイド位置と退避位置との間で回動させることにより、当該退避位置で受け入れ空間を形成するようにしてもよい。この場合について、図８乃至図１１に基づいて説明する。なお、前述の図１乃至図３と同等の部分には同符号を付し、説明を適宜省略する。
【００６５】
図８乃至図１１に示すように、本変形例における複合機１において、上記実施形態における複合機１と異なる部分は、原稿セット面、及び、第１サイドガイドである。その他の部分は、上記実施形態における複合機１と同様又はほぼ同様であるので、説明を省略する。
【００６６】
本変形例における原稿セット面８０′には、前述のＡＤＦ５を使用して搬送及び画像の読み取りを行う原稿が、その左端部を当該原稿セット面８０′と前述のガイド板３０との間に挿入するようにしてセットされる。この原稿セット面８０′の前端部には、水平方向、すなわち当該原稿セット面８０′の面方向よりも下方へ傾斜した傾斜支持部８７（詳細は後述）が設けられている。また、原稿セット面８０′の近傍には、図１１に示すように、後述の第１サイドガイド２４Ａ′の第１壁面部８１Ａ′に設けられた２つの回転軸部８８を所定の軸心ＡＸ（図８及び図９参照）周りに回転可能に支持する軸支持部８９が設けられている。なお、上記実施形態における原稿セット面８０と異なり、原稿セット面８０′の右側の端部は、傾斜面となっておらず、原稿セット面８０′の前方下部には、凹部は設けられていない。なお、上記実施形態における原稿セット面８０と同様に、原稿セット面８０′の右側の端部を、下方に傾斜する傾斜面としてもよい。
【００６７】
本変形例における第１サイドガイド２４Ａ′は、第１壁面部８１Ａ′及び第１庇部８２Ａ′を備えている。第１壁面部８１Ａ′は、上記原稿セット面８０′に対して立設されており、原稿セット面８０′にセットされた原稿の前端部に接触可能に構成されている。また、図１１に示すように、この第１壁面部８１Ａ′のうち、上記搬送ローラ３５等による原稿の搬送方向（具体的には給紙方向）である左方向に沿った両端下部には、それぞれ、回転軸部８８が設けられている。これら２つの回転軸部８８は、上記原稿セット面８０の近傍に設けられた上記軸支持部８９によって、上記軸心ＡＸ周りに回転可能に軸支されている。第１庇部８２Ａ′は、第１壁面部８１Ａ′の頂部から前述の第２サイドガイド２４Ｂの第２壁面部８１Ｂ側へ向かって、原稿セット面８０′と略平行に延設されている。
【００６８】
なお、本変形例においては、第１サイドガイド２４Ａ′及び前述の第２サイドガイド２４Ｂが、各請求項記載のガイド手段に相当する。また、第１サイドガイド２４Ａ′の第１庇部８２Ａ′、及び、前述の第２サイドガイド２４Ｂの第２庇部８２Ｂが、排紙トレイに相当する。
【００６９】
ここで、本変形例においては、上記のように軸支持部８９に軸支された２つの回転軸部８８を回動させることにより、当該２つの回転軸部８８が設けられている第１壁面部８１Ａ′を、上記軸心ＡＸを中心に回動させることができるようになっている。すなわち、２つの回転軸部８８及び軸支持部８９は、第１壁面部８１Ａ′を、軸心ＡＸを中心に回動させる機構である。そして、当該機構を利用して、第１壁面部８１Ａ′を、軸心ＡＸを中心に回動させることにより、第１サイドガイド２４Ａ′を、前述のガイド位置及び退避位置の相互間で軸心ＡＸを中心に回動させることができる。
【００７０】
なお、図８乃至図１１に示す複合機１のスキャナ部２が備える第１サイドガイド２４Ａ′の位置は、上記ガイド位置に対応している。すなわち、第１サイドガイド２４Ａ′が上記ガイド位置にある状態では、第１壁面部８１Ａ′の面方向が原稿セット面８０′に対し略鉛直となるように、２つの回転軸部８８が軸支持部８９により軸支されている。そして、このようにガイド位置にある第１サイドガイド２４Ａ′の第１壁面部８１Ａ′を、原稿セット面８０′から離れる方向に（言い換えれば前側に傾斜する方向に）回動させることにより、第１サイドガイド２４Ａ′を上記退避位置（後述の図１２乃至図１５に示す第１サイドガイド２４Ａ′の位置）に変位させることができる。
【００７１】
一方、図１２乃至図１５に示す複合機１のスキャナ部２が備える第１サイドガイド２４Ａ′の位置は、上記退避位置に対応している。すなわち、図１２乃至図１５に示すように、第１サイドガイド２４Ａ′が上記退避位置にある状態では、第１壁面部８１Ａ′の回動の径方向先端部が下方へ下がることで当該第１壁面部８１Ａ′の面方向が原稿セット面８０′の面方向よりも下方へ傾斜した状態となるように、２つの回転軸部８８が軸支持部８９により軸支されている。このとき、図１４に示すように、上記のように傾斜した状態にある第１壁面部８１Ａ′は、原稿セット面８０′の前端部に設けられた上記傾斜支持部８７によって受け止められている。すなわち、傾斜支持部８７は、退避位置において、上記のように第１壁面部８１Ａ′の面方向が原稿セット面８０′の面方向よりも傾斜した状態で、当該第１壁面部８１Ａ′を受け止めるようになっている。また、このように第１サイドガイド２４Ａ′が上記退避位置にある状態では、図１３に示すように、前後方向（この例では前方）から原稿セット面８０′へ原稿を受け入れるための受け入れ空間８６′が形成されている。これは、第１サイドガイド２４Ａ′をガイド位置から退避位置に変位させることにより、当該退避位置で上記受け入れ空間８６′が形成されるためである。すなわち、２つの回転軸部８８、軸支持部８９、及び傾斜支持部８７は、各請求項記載の、第２変位機構に相当すると共に、受け入れ空間を形成する空間形成手段にも相当する。なお、上記のように退避位置にある第１サイドガイド２４Ａ′の第１壁面部８１Ａ′を、原稿セット面８０′に近づける方向に（言い換えれば原稿セット面８０′に対し略鉛直となる方向に）回動させることにより、第１サイドガイド２４Ａ′を上記ガイド位置（図８乃至図１１に示す第１サイドガイド２４Ａ′の位置）に変位させることができる。
【００７２】
以上説明したように、本変形例においては、２つの回転軸部８８、軸支持部８９、及び傾斜支持部８７により、第１サイドガイド２４Ａ′を、ガイド位置と退避位置との間で回動させることができる。これにより、第１サイドガイド２４Ａ′を、ガイド位置から前後方向に沿って離反するように回動させて上記退避位置にすることにより、当該退避位置で上記受け入れ空間８６′を形成することができる。これにより、ユーザは、前方から原稿を給紙トレイ２２に容易にセットすることができる。
【００７３】
また特に、２つの回転軸部８８、軸支持部８９、及び傾斜支持部８７は、第１サイドガイド２４Ａ′の第１壁面部８１Ａ′を、原稿セット面８０′から離れる方向に、上記軸心ＡＸを中心に回動させる機構である。これにより、第１及び第２サイドガイド２４Ａ′，２４Ｂの第１及び第２壁面部８１Ａ′，８１Ｂにより原稿の前端部及び後端部をガイドする通常の状態から、第１壁面部８１Ａ′を回動させて上記受け入れ空間８６′を形成する状態へと、簡単に移行することができる。また、２つの回転軸部８８を軸支して回動させる、という簡単な構成により、第１サイドガイド２４Ａ′のガイド位置と退避位置との間の、円滑な回動を実現することができる。またさらに、傾斜支持部８７を設けることにより、第１壁面部８１Ａ′の面方向が、原稿セット面８０′とほぼ同じ高さか、それよりも傾斜した状態となるので、ユーザ側へ向かって受け入れ空間８６′を広く開口させることができる。この結果、ユーザがさらに原稿をセットしやすくなる。
【００７４】
（２）第１サイドガイドの第１庇部を欠損させておく場合
第１サイドガイドの第１庇部の少なくとも一部を欠損させておくことにより、当該欠損した部分で受け入れ空間を形成するようにしてもよい。この場合について、図１６乃至図１８に基づいて説明する。なお、前述の図１乃至図３と同等の部分には同符号を付し、説明を適宜省略する。
【００７５】
図１６乃至図１８に示すように、本変形例における複合機１において、前述の実施形態における複合機１と異なる部分は、原稿セット面、及び、第１サイドガイドである。その他の部分は、前述の実施形態における複合機１と同様又はほぼ同様であるので、説明を省略する。
【００７６】
本変形例における第１サイドガイド２４Ａ″は、第１壁面部８１Ａ″及び第１庇部８２Ａ″を備えている。第１壁面部８１Ａ″は、上記原稿セット面８０″に対して立設されており、原稿セット面８０″にセットされた原稿の前端部に接触可能に構成されている。第１庇部８２Ａ″は、第１壁面部８１Ａ″の頂部から前述の第２サイドガイド２４Ｂの第２壁面部８１Ｂ側へ向かって、原稿セット面８０′と略平行に延設されている。但し、この第１庇部８２Ａ″は、想像線で示されていることから分かるように、その全部が欠損している。すなわち、第１庇部８２Ａ″は、その全部が欠損した欠損部である。なお、第１庇部８２Ａ″は、その全部が欠損した欠損部ではなく、その前後方向寸法（延設方向寸法に相当）が、前述の第２サイドガイド２４Ｂの第２庇部８２Ｂの前後方向寸法に比べて短くなるように、その少なくとも一部が欠損した欠損部であってもよい。
【００７７】
なお、本変形例においては、第１サイドガイド２４Ａ″及び前述の第２サイドガイド２４Ｂが、各請求項記載のガイド手段に相当する。また、第１サイドガイド２４Ａ″の第１庇部８２Ａ″、及び、前述の第２サイドガイド２４Ｂの第２庇部８２Ｂが、排紙トレイに相当する。
【００７８】
ここで、本変形例においては、図１７に示すように、上記のように第１庇部８２Ａ″が欠損している、言い換えれば、第１庇部８２Ａ″が欠損部であることにより、その欠損した部分において、前後方向（この例では前方）から原稿セット面８０″へ原稿を受け入れるための受け入れ空間８６″が形成されている。すなわち、欠損部である第１庇部８２Ａ″が、各請求項記載の、受け入れ空間を形成する空間形成手段に相当する。
【００７９】
以上説明したように、本変形例においては、第１庇部８２Ａ″は、その前後方向寸法が、第２サイドガイド２４Ｂの第２庇部８２Ｂの前後方向寸法に比べて短くなるように、その少なくとも一部（上記の例では全部）が欠損した欠損部である。すなわち、第１庇部８２Ａ″は、その少なくとも一部が欠損している。これにより、その欠損した部分において、ユーザ側へ開口した上記受け入れ空間８６″を形成することができる。したがって、ユーザは、前方から原稿を給紙トレイ２２に容易にセットすることができる。また特に、第１庇部８２Ａ″の全部が欠損していることにより、より大きな受け入れ空間８６″を形成することができる。この結果、ユーザがさらに原稿をセットしやすくなる。
【００８０】
なお、以上においては、交差方向を、前後方向としていたが、これに限られない。すなわち、交差方向は、搬送ローラ３５等による原稿の搬送方向（具体的には給紙方向である左方向）と交差する方向であればよく、例えば斜め前後方向でもよい。
【００８１】
なお、以上においては、本発明に係る画像読取装置が、スキャナ機能、プリンタ機能、及びファクシミリ機能の３つの機能を一体的に備えた複合機１のスキャナ部２として実現されているが、プリンタ機能やファクシミリ機能は本発明において任意の機構であり、例えば、スキャン機能のみのスキャナ単体として本発明に係る画像読取装置を実現してもよい。
【００８２】
その他、一々例示はしないが、本発明は、その趣旨を逸脱しない範囲内において、種々の変更が加えられて実施されるものである。
【符号の説明】
【００８３】
１            複合機
２            スキャナ部（画像読取装置）
２２          給紙トレイ
２４Ａ，２４Ａ′，２４Ａ″      第１サイドガイド
２４Ｂ        第２サイドガイド
３１          吸入ローラ
３２          吸入ニップ片
３３          分離ローラ
３４          分離ニップ片
３５          搬送ローラ
３６          ピンチローラ
４０          ＣＩＳユニット（画像読取手段）
８０，８０′，８０″            原稿セット面
８１Ａ，８１Ａ′，８１Ａ″      第１壁面部
８１Ｂ        第２壁面部
８２Ａ，８２Ａ′，８２Ａ″      第１庇部
８２Ｂ        第２庇部
８３          スライド部
８４          凹部
８６，８６′，８６″            受け入れ空間
８７          傾斜支持部
８８          回転軸部
８９          軸支持部
ＡＸ          所定の軸心
【図１】
2012074832.tif 000003
【図２】
2012074832.tif 000004
【図３】
2012074832.tif 000005
【図４】
2012074832.tif 000006
【図５】
2012074832.tif 000007
【図６】
2012074832.tif 000008
【図７】
2012074832.tif 000009
【図８】
2012074832.tif 000010
【図９】
2012074832.tif 000011
【図１０】
2012074832.tif 000012
【図１１】
2012074832.tif 000013
【図１２】
2012074832.tif 000014
【図１３】
2012074832.tif 000015
【図１４】
2012074832.tif 000016
【図１５】
2012074832.tif 000017
【図１６】
2012074832.tif 000018
【図１７】
2012074832.tif 000019
【図１８】
2012074832.tif 000020